(57)【要約】【課題】光ピックアップにおいて所望の特性を確実に得るとともに、構成の簡素化を図る上で有利な光ピックアップのアクチュエータを提供する。【解決手段】アクチュエータ１００は、ベース１４上でトラッキング方向に移動可能に配設されたスライドベース３、対物レンズ２を保持するボビン１０、ボビン１０とスライドベース３とを連結するサスペンション７、収差補正素子９などを備えて構成されている。ボビン１０は、サスペンション７を介してスライドベース３にフォーカシング方向に移動可能に支持されている。スライドベース３には対物レンズ２を通過する光ビームが通る第１の開口が設けられている。収差補正素子９は対物レンズ２の光軸と合致するように位置決めされた状態でスライドベース３の第１の開口に配設されている。【選択図】　　　　図１
2004118931.tif 000002
【特許請求の範囲】
【請求項１】
光ディスクのトラッキング方向に移動可能に配設されたスライドベースと、
前記スライドベース上で対物レンズをフォーカシング方向に移動可能に支持するサスペンションと、
前記スライドベースをトラッキング方向に移動させるスライドベース駆動手段と、
前記対物レンズをフォーカシング方向に移動させる対物レンズ駆動手段と、
光ビームを通過させることで該光ビームの波面を補正し該光ビームの収差を補正する収差補正素子とを備え、
前記スライドベースに、光ディスクから反射される光ビームがフォーカシング方向に沿って前記対物レンズを通り該スライドベースの内部に導くための第１の開口が設けられ、
前記収差補正素子は、前記第１の開口に臨ませて前記スライドベースに取着されている、
ことを特徴とするアクチュエータ。
【請求項２】
前記収差補正素子は、互いに平行して配置された第１、第２、第３の透明基板と、前記第１、第２の透明基板の間に設けられた第１の液晶と、前記第２、第３の透明基板の間に設けられた第２の液晶とを備え、第１の駆動信号によって前記第１の液晶の偏光状態が変化されるように構成され、第２の駆動信号によって前記第２の液晶の偏光状態が変化されるように構成され、前記光ビームの収差の補正は、これら第１、第２の液晶の偏光状態の変化により行なわれることを特徴とする請求項１記載のアクチュエータ。
【請求項３】
前記サスペンションは、前記トラッキング方向に延在する板ばね部材により構成され、前記板ばね部材の延在方向の一端は前記スライドベースに固定され、前記板ばね部材の延在方向の他端に前記対物レンズが保持されていることを特徴とする請求項１記載のアクチュエータ。
【請求項４】
前記板ばね部材は、フォーカシング方向に間隔をおき互いに平行して延在する上側板ばね部材と下側板ばね部材とで構成されていることを特徴とする請求項２記載のアクチュエータ。
【請求項５】
前記第１の開口からスライドベースの内部に導かれた光ビームは、前記スライドベースに設けられた第２の開口から出射され光検出素子に導かれることを特徴とする請求項１記載のアクチュエータ。
【請求項６】
前記第１の開口からスライドベースの内部に導かれた光ビームは、前記スライドベースの内部に設けられたミラーにより反射され前記スライドベースに設けられた第２の開口からトラッキング方向に出射されることを特徴とする請求項１記載のアクチュエータ。
【発明の詳細な説明】
【０００１】
【発明の属する技術分野】
本発明は、光ピックアップを構成するアクチュエータに関するものである。
【０００２】
【従来の技術】
現在、音楽に利用されるコンパクトディスク、ミニディスク、映画等に利用されるＤＶＤ、コンピュータのデータ記録等に利用されるＭＯ、ＣＤ−Ｒ／Ｗ等の光ディスクが用いられている。
このような光ディスクに対してアクセス、すなわち記録および／または再生を行なう光ディスク装置においては、前記光ディスクに照射する光ビームの波長を短波長化するとともに、光学系を高開口数化することにより、光ディスクの情報記録面に形成するビームスポットの形状を小型化し、一段と記録密度を高密度化することが図られている。
しかしながら、高開口数の対物レンズを使用して光ディスクをアクセスする場合、光ディスクにおける光透過層の厚みばらつきにより球面収差が発生する欠点がある。
また、いわゆる２群レンズにより対物レンズを高開口数化することが一般的であると考えられ、この場合には、レンズ間の距離のばらつきによっても球面収差が発生する。
また、光ディスクの情報記録面を多層化して記録容量を増大させる場合には、このような多層化によっても球面収差が発生する欠点がある。
このような球面収差を補正するために、対物レンズとレーザー光源の間に球面収差を補正する２群のレンズから構成されるエキスパンダレンズを配置し、これら２群のレンズの光軸方向の間隔を調整する光ピックアップ装置が提案されている（特許文献１）。
【０００３】
【特許文献１】
特開２００２−１５０５９８号公報（図１）
【０００４】
【発明が解決しようとする課題】
しかしながら、このようなエキスパンダレンズの２群のレンズの間隔を調整する従来技術では、これら２群のレンズを駆動する機構が必要となるため光ピックアップの重量が増加し光ディスクへのアクセス速度が低下するだけでなく、構成が複雑化するので製造コストや部品コストが高くなるという問題があった。
本発明は、このような事情に鑑みてなされ、その目的とするところは、光ピックアップにおいて所望の特性を確実に得るとともに、構成の簡素化を図る上で有利なアクチュエータを提供することにある。
【０００５】
【課題を解決するための手段】
本発明のアクチュエータは前記目的を達成するために、光ディスクのトラッキング方向に移動可能に配設されたスライドベースと、前記スライドベース上で対物レンズをフォーカシング方向に移動可能に支持するサスペンションと、前記スライドベースをトラッキング方向に移動させるスライドベース駆動手段と、前記対物レンズをフォーカシング方向に移動させる対物レンズ駆動手段と、光ビームを通過させることで該光ビームの波面を補正し該光ビームの収差を補正する収差補正素子とを備え、前記スライドベースに、光ディスクから反射される光ビームがフォーカシング方向に沿って前記対物レンズを通り該スライドベースの内部に導くための第１の開口が設けられ、前記収差補正素子は、前記第１の開口に臨ませて前記スライドベースに取着されていることを特徴とする。
そのため、本発明によれば、スライドベースはトラッキング方向に移動可能に設けられ、対物レンズはサスペンションによってスライドベースに対してフォーカシング方向に移動可能に支持され、収差補正素子は第１の開口に臨ませてスライドベースに一体的に設けられている。したがって、対物レンズと収差補正素子のトラッキング方向における位置ずれが抑制される。
【０００６】
【発明の実施の形態】
次に、本発明の実施の形態について図面を参照して説明する。
図１は本発明の第１の実施の形態のアクチュエータの構成を示す斜視図、図２は図１の平面図、図３はアクチュエータの要部を示す平面図、図４は図３の正面図、図５は図３の縦断面図である。
アクチュエータ１００は、ベース１４、このベース１４上に直線移動可能に配設されるスライドベース３、このスライドベース３上で光ピックアップの対物レンズ２を保持するボビン１０、前記ボビン１０とスライドベース３とを連結するサスペンション７、収差補正素子９、２つの永久磁石１１、２本の上ヨーク１２、２本の下ヨーク１３、ベース１４、フレキシブル基板１５などを備えて構成されている。
なお、図１、図２においてＸ軸は光ディスクのトラッキング方向に延在する仮想軸を示し、Ｚ軸は光ディスクのフォーカシング方向に延在する仮想軸を示し、Ｙ軸は前記Ｘ軸およびＺ軸の双方と直交する仮想軸を示しており、このＹ軸は光ディスクのトラックの接線方向と一致している。
前記ベース１４は、平面視矩形の枠体として形成され、Ｘ軸方向に長手方向を有しており、枠体の底壁１４０１は、Ｘ軸とＹ軸を含むＸＹ平面と平行な面内に延在している。
前記ベース１４の内部には、Ｘ軸方向に延在する２本のシャフト４がＹ軸方向に間隔をおいて配設され、これら２本のシャフト４の両端はベース１４の両側の壁部１４０２に取着されている。これら２本のシャフト４は、前記ＸＹ平面と平行する単一の平面上に平行して延在している。本実施の形態において前記各シャフト４は例えばステンレス鋼によって形成される。
【０００７】
前記スライドベース３は前記２本のシャフト４を介してベース１４上においてＸ軸方向に移動可能に配設されている。
図６はスライドベース３をＸ軸方向の一方の上方から見た斜視図、図７はスライドベース３をＸ軸方向の他方の下方から見た斜視図である。
前記スライドベース３は、Ｘ軸方向に沿った長さと、この長さよりも小さい寸法の幅と、この幅よりも小さい寸法の高さを有するほぼ直方体状の本体３０２と、トラッキングコイル取付部３０４とを備えている。
前記トラッキングコイル取付部３０４は、前記本体３０２の上面の幅方向の両側から起立する２つの起立片３０４Ａと、本体３０２の幅方向の両側から外方に延在し端部が上方に起立された２つの板部３０４Ｂとで構成されている。
前記本体３０２には前記２本のシャフトを挿通させる案内孔３１２がＸ軸方向に貫通形成され、これら案内孔３１２に前記シャフト４がそれぞれ挿通されている。
前記本体３０２の上面のＸ軸方向の一方の端部にはサスペンション固定部３１４が形成されている。
前記２つのトラッキングコイル取付部３０４には、トラッキングコイル５（図４）がそれぞれ取着される。前記トラッキングコイル５は細い銅線がＸ軸方向に沿って延在する軸線回りに巻回されて中空の矩形筒状に形成されている。
【０００８】
図４、図５に示すように、前記下ヨーク１３は２本設けられ、前記２つのトラッキングコイル取付部３０４のトラッキングコイル５の内部に挿通して配設され、各下ヨーク１３は軟磁鉄などで形成されている。
前記下ヨーク１３は断面が前記トラッキングコイル５の内部空間よりも小さく該内部空間と相似形の矩形を呈し、トラッキングコイル５の内周面に対して隙間をおいて配置されている。
前記各下ヨーク１３は前記ＸＹ平面と平行する単一の平面上においてＸ軸方向に沿って互いに平行をなして延在し、そのＸ軸方向の両端部が前記ベース１４で支持されている。
【０００９】
前記上ヨーク１２は２本設けられ、前記下ヨーク１３の上方に配設され、各上ヨーク１２は軟磁鉄などで形成されている。
前記各上ヨーク１２は、断面が矩形を呈し前記ＸＹ平面と平行する単一の平面上においてＸ軸方向に沿って互いに平行をなして延在する中間部１２０２と、該中間部１２０２のＸ軸方向の両端で下方に屈曲された２つの屈曲部１２０４とを有している。
前記２つの屈曲部１２０４の端部は、前記したヨーク１３の上面のＸ軸方向の両端箇所に接着剤などで固定されている。
前記中間部１２０２は、前記下ヨーク１３に対しても平行に配設されている。
【００１０】
前記永久磁石１１は２つ設けられ、ネオジ鉄などで形成されている。
各永久磁石１１は上ヨーク１２の中間部１２０２の下面に取着され、中間部１２０２のほぼ全長にわたって延在しており、下ヨーク１３およびトラッキングコイル５の上方に位置している。
前記各永久磁石１１はその幅が前記中間部１２０２と等しい寸法で形成され、前記上ヨーク１２の下面に取着されることで、上ヨーク１２と永久磁石１１とはあたかも断面が矩形の単一の棒状部材１２Ａとなっており、本実施の形態では前記上ヨーク１２と前記永久磁石１１とがそれぞれ２つ設けられることから前記棒状部材１２Ａは２本となっている。
前記棒状部材１２Ａは、前記ＸＹ平面と平行する単一の平面上においてＸ軸方向に沿って互いに平行をなして延在している。
したがって、２つの棒状部材１２Ａの間には、Ｘ軸方向に沿って直線状に延在する均一幅の移動用空間１７が形成されている。
【００１１】
前記ボビン１０は、前記サスペンション７を介して前記スライドベース３に支持され、前記移動用空間１７に配置されている。
したがって、前記ボビン１０は、前記スライドベース３がシャフト４に沿ってＸ軸方向に移動されることにより、スライドベース３とともに前記移動用空間１７内をＸ軸方向に沿って移動される。
図８はボビン１０の斜視図である。
前記ボビン１０は、高弾性の樹脂材料などから形成され、矩形板状の対物レンズ保持部１００２と、対物レンズ保持部１００２のＹ軸方向の両側から下方に延出された矩形板状の２つのフォーカシングコイル取付部１００４とを備えている。
前記対物レンズ保持部１００２の中央には光ビームを通過させるための開口１００６が設けられている。
前記対物レンズ２は該対物レンズ２の前記開口１００６に臨んだ状態で対物レンズ保持部１００２に接着剤などによって取着されている。
前記各フォーカシングコイル取付部１００４の外側には、フォーカシングコイル６が接着剤などにより取着されている。前記フォーカシングコイル６は、細い銅線がＹ軸方向に沿って延在する軸線回りに巻回されて形成されている。
【００１２】
図９はサスペンション７にボビン１０が取り付けられた状態を示す斜視図、図１０は図９の平面図、図１１は図９の側面図、図１２は図１１のＡＡ線断面図である。
前記サスペンション７は、上側板ばね部材７０２と、下側板ばね部材７０４と、支持部材７０６とを備えている。
前記支持部材７０６はブロック状に形成され、前記スライドベース３のサスペンション取付部３１４に取付けられている。
このようにサスペンション取付部３１４に取付けられた状態で、前記支持部材７０６は、前記ＸＹ平面と平行をなし上方に臨む平面からなる上側取付面７０８と、該上側取付面７０８と間隔をおいて平行し下方に臨む平面からなる下側取付面７１０とを有している。
【００１３】
前記上側板ばね部材７０２と下側板ばね部材７０４は、例えば銅箔などを用いて薄板状に形成されている。前記上側板ばね部材７０２と下側板ばね部材７０４の各幅は、ボビン１０の対物レンズ保持部の幅および支持部材の上側取付面の幅とほぼ同じ寸法で形成され、前記上側板ばね部材７０２と下側板ばね部材７０４は前記幅よりも大きな寸法を有している。
前記上側板ばね部材７０２の長さ方向の一端は前記支持部材７０６の上側取付面７０８に接着剤などにより固定されている。上側板ばね部材７０２の長さ方向の他端は、前記対物レンズ２の外周を囲むように凹状に形成され、前記対物レンズ２の外周を囲んで対物レンズ保持部１００２の上面に接着剤などにより固定されている。
前記下側板ばね部材７０４の長さ方向の一端は前記支持部材７０６の下側取付面７１０に接着剤などにより固定されている。下側板ばね部材７０４の長さ方向の他端は、前記ボビン１０の各フォーカシングコイル保持部１００４の下端面に対応する形状で形成され、これら各フォーカシングコイル保持部１００４の下端面に接着剤などにより固定されている。
本実施の形態において、前記上側取付面７０８と下側取付面７１０との間隔は、前記ボビン１０の対物レンズ保持部１００２の上面と各フォーカシングコイル取付部１００４の下端面との間隔と等しくなるように形成されており、したがって上側板ばね部材７０２と下側板ばね部材７０４は互いに平行して延在している。より詳細には、上側板ばね部材７０２と下側板ばね部材７０４は、ＸＺ平面と平行する面上においてＸ軸方向に延在している。
なお、上側板ばね部材７０２と下側板ばね部材７０４の長さは、ボビン１０がＺ軸方向に微小量変位した場合に、ボビン１０のＸ軸方向の変位がほとんど無視できる程度の極めて小さい値となるように設定されている。
【００１４】
前記スライドベース３の本体３０２には、図６、図７に示すように、前記サスペンション７に取付けられたボビン１０の対物レンズ２の光軸上を通る光路、すなわちＺ軸方向に延在するＺ軸光路ＬＺと、このＺ軸光路ＬＺと直交してＸ軸方向に延在するＸ軸光路ＬＸとが設けられている。
前記Ｚ軸光路ＬＺは本体３０２の上面に第１の開口３１０として開口されており、前記第１の開口３１０は前記本体３０２のＺ軸方向における端部に設けられている。
前記Ｘ軸光路ＬＸは本体３０２の端面に第２の開口３０６として開口されており、前記第２の開口３０６は前記本体３０２のＸ軸方向における端部に設けられている。
前記本体３０２の内部でＺ軸光路ＬＺとＸ軸光路ＬＸとの交叉部には、光ビームをＺ軸光路ＬＺからＸ軸光路ＬＸへ、および光ビームをＸ軸光路ＬＸからＺ軸光路ＬＺへ反射させるミラー８（図３、図４）が配置されている。
したがって、不図示の光源から出射された光ビームが前記Ｘ軸光路ＬＸに沿って前記本体３０２の第２の開口３０６から入射すると、該光ビームは前記ミラー８で反射され前記Ｚ軸光路に沿って前記第１の開口３１０から出射され、前記対物レンズ２の光軸を通って該対物レンズ２の前方に位置する光ディスクに照射される。また、前記光ディスクで反射された反射光ビームは前記対物レンズ２を通過して前記第１の開口３１０からＺ軸光路ＬＺに沿って前記ミラー８で反射され、前記Ｘ軸光路ＬＸに沿って前記第２の開口３０６から出射される。
【００１５】
前記収差補正素子９は、図４、図５に示すように、前記本体３０２の上面で前記第１の開口３１０に配設され、前記収差補正素子９と、前記対物レンズ２およびこの対物レンズ２を保持するボビン１０との間にはＺ軸方向の間隔が設けられている。
図１３は収差補正素子９の構成を示す斜視図、図１４は収差補正素子９の分解斜視図である。
前記収差補正素子９は、第１のガラス基板２０、第２のガラス基板２１、第３のガラス基板２２の３枚のガラス基板が積層されて構成され、前記第１乃至第３のガラス基板２０、２１、２２は互いに平行した状態で配置されている。前記第１、第２のガラス基板２０、２１の間の空間と、前記第２、第３のガラス基板２１、２２の間の空間に液晶が封入されている。本実施の形態では前記第１乃至第３のガラス基板２０、２１、２２によって特許請求の範囲の第１乃至第３の透明基板が構成され、前記第１、第２のガラス基板２０、２１の間に封入された液晶によって特許請求の範囲の第１の液晶が構成され、前記第２、第３のガラス基板２１、２２の間に封入された液晶によって特許請求の範囲の第２の液晶が構成されている。
中間に配置される第２のガラス基板２１は、幅とこの幅よりも大きな寸法の長さを有する矩形板状に形成され、第２のガラス基板２１はその長手方向をＹ軸方向に沿わせて配置されている。
上位に配置される第１のガラス基板２０と下位に配置される第３のガラス基板２２は、前記第２のガラス基板２１の幅と同じ寸法の幅と、前記第２のガラス基板２１の長さよりも小さな寸法の長さを有する矩形板状に形成され、第１、第３のガラス基板２０、２２は、本実施の形態では、同形同大に形成されている。
前記第１、第３のガラス基板２０、２２は、それらの幅と長さを第２のガラス基板２１の幅と長さに沿わせた状態で、第２のガラス基板２１の長さ方向の中央箇所に配置されている。
したがって、第２のガラス基板２１の長さ方向の両端に位置する両端部２１ａには第１、第３のガラス基板２０、２２が位置しておらず、これら両端部２１ａは外方に露出した状態となっている。
【００１６】
前記第１のガラス基板２０が第２のガラス基板２１に臨む面には透明電極２０Ａが形成されている。この透明電極２０Ａは中央に位置する円形形状の内周側電極２０Ａ１と、この内周側電極２０Ａ１の外周に位置する円環状の外周側電極２０Ａ２とによって構成されている。
前記第１のガラス基板２０の内周側電極２０Ａ１と外周側電極２０Ａ２の間に抵抗Ｒ１が接続され、該抵抗Ｒ１の外周側電極２０Ａ２側の端部に抵抗Ｒ２が直列に接続され、該抵抗Ｒ２の端部は前記両端部２１ａに設けられた第１の入力端子２３Ａに接続されている。
前記第３のガラス基板２２が第２のガラス基板２１に臨む面には透明電極２２Ａが形成されている。この透明電極２２Ａは中央に位置する円形形状の内周側電極２２Ａ１と、この内周側電極２２Ａ１の外周に位置する円環状の外周側電極２２Ａ２とによって構成されている。
この第３のガラス基板２２の内周側電極２２Ａ１および外周側電極２２Ａ２の中心は、前記第１のガラス基板２０の内周側電極２０Ａ１および外周側電極２０Ａ２の中心と合致するように構成されている。
また、前記第３のガラス基板２２の内周側電極２２Ａ１と外周側電極２２Ａ２の間に抵抗Ｒ３が接続され、該抵抗Ｒ３の外周側電極２２Ａ２側の端部に抵抗Ｒ４が直列に接続され、該抵抗Ｒ２の端部は前記両端部２１ａに設けられた第２の入力端子２３Ｂに接続されている。
前記第２のガラス基板２１が第１のガラス基板２０に臨む面には矩形状の透明電極２１Ｂが形成され、第２のガラス基板２１が第３のガラス基板２２に臨む面には矩形状の透明電極２１Ｃが形成されている。そして、前記透明電極２１Ｂ、２１Ｃは前記両端部２１ａにおいてグランド線に共通接続されている。
【００１７】
前記収差補正素子９は前記第１の開口３１０に配置されている。すなわち、前記第３のガラス基板２２の下面が、前記本体３０２の上面で前記第１の開口３１０の周縁に接着剤などにより取着されている。したがって、前記収差補正素子９は、前記本体３０２のＺ軸方向における端部に取着されていることになる。
より詳細に説明すると、前記収差補正素子９は、前記第１のガラス基板２０の内周側電極２０Ａ１および外周側電極２０Ａ２の中心と、第３のガラス基板２２の内周側電極２２Ａ１および外周側電極２２Ａ２の中心とが前記対物レンズ２の光軸と合致するように位置決めされた状態で、前記第３のガラス基板２２の下面が、前記本体３０２の上面の第１の開口３１０の周縁に接着剤などにより取着されている。これにより収差補正素子９は前記スライドベース３と一体的に設けられたことになる。
そして、前記第１の入力端子２３Ａと前記グランド線との間に第１の駆動信号Ｓ１が印加されることにより、前記抵抗Ｒ１、Ｒ２で分圧された第１の駆動信号Ｓ１が第１のガラス基板２０の内周側電極２０Ａ１と外周側電極２０Ａ２に供給されるように構成されている。
また、前記第２の入力端子２３Ｂと前記グランド線との間に第２の駆動信号Ｓ２が印加されることにより、前記抵抗Ｒ３、Ｒ４で分圧された第２の駆動信号Ｓ２が第３のガラス基板２０の内周側電極２２Ａ１と外周側電極２２Ａ２に供給されるように構成されている。
これらにより、前記第１、第２のガラス基板２０、２１の間の液晶の偏光状態が前記第１の駆動信号Ｓ１に対応した偏光状態となり、前記第２、第３のガラス基板２１、２２の間の液晶の偏光状態が前記第２の駆動信号Ｓ２に対応した偏光状態となることにより、前記対物レンズ２を通過して収差補正素子９を透過する光ビームの波面が補正され、これにより球面収差が補正されるように構成されている。
【００１８】
前記フレキシブル基板１５は、図１、図２に示すように、前記ベース１４に収容されその一端がベース１４の側壁に取着されている。前記フレキシブル基板１５の中間部は、スライドベース３の一方のトラッキングコイル取付部３０４に取着されており、該取着されたフレキシブル基板１５部分から分岐されたフレキシブル基板がサスペンション７とスライドベース３に連結されている。
前記フレキシブル基板１５がベース１４の側壁に取着された箇所と、前記トラッキングコイル取付部３０４に取着された中間部との間の部分は、拘束されておらず自由に変形して移動できるように構成されている。
前記フレキシブル基板１５は、例えばポリイミドの高分子材料の薄膜と銅の薄膜との積層構造からなり、非常に薄く軟らかいため、スライドベース３がＸ軸方向に沿って移動する際に、前記フレキシブル基板１５の前記拘束されていない部分がスライドベース３に与える負荷は小さい。これにより、アクチュエータ１００の動特性を損なうことが防止されるように構成されている。
図９に示すように、前記サスペンション７に連結されたフレキシブル基板１５０２は、前記上側板ばね部材７０２の上面および支持部材７０６の上側取付面７０８に沿って配設されている。
前記フレキシブル基板１５０２の接続端子は、前記各フォーカシングコイル６に半田付けなどにより接続され、該フレキシブル基板１５０２を介してフォーカシングコイル６に駆動信号が供給されるように構成されている。
また、前記スライドベース３に連結されたフレキシブル基板からさらに分岐された一部のフレキシブル基板の接続端子は、図では省略されているが、前記トラッキングコイル５に半田付けなどにより接続され、該フレキシブル基板を介してトラッキングコイル５に駆動信号が供給されるように構成されている。
また、前記スライドベース３に連結されたフレキシブル基板からさらに分岐された残りのフレキシブル基板の接続端子は、図では省略されているが、前記収差補正素子９の第１、第２の入力端子２３Ａ、２３Ｂ、グランド線に半田付けなどにより接続され、該フレキシブル基板を介して前記第１、第２の入力端子２３Ａ、２３Ｂ、グランド線に第１、第２の駆動信号Ｓ１、Ｓ２が供給されるように構成されている。
【００１９】
なお、前記永久磁石１１、上ヨーク１２、下ヨーク１３の間には、閉じた磁界が形成されている。
前記各永久磁石１１の着磁方向は、図５に示すように、上ヨーク１２と永久磁石１１に臨む前記フォーカシングコイル６に流れる電流に直交する方向であり、フォーカシングコイル６に流れる電流に電磁力が作用するように磁界が形成されている。
また、前記各永久磁石１１の着磁方向は下ヨーク１３と永久磁石１１との間に挟まれた前記トラッキングコイル５に流れる電流に直交する方向であり、トラッキングコイル５に流れる電流に電磁力が作用するように磁界が形成されている。
なお、本実施の形態においては、前記トラッキングコイル５、永久磁石１１、下ヨーク１３によって、特許請求の範囲のスライドベース駆動手段が構成されている。また、前記フォーカシングコイル６、永久磁石１１、上ヨーク１２によって特許請求の範囲の対物レンズ駆動手段が構成されている。
【００２０】
次に、以上のように構成されたアクチュエータ１００の作用について説明する。
光ディスクに対する再生または記録動作の際、前記光ピックアップに設けられた光源から出射される光ビームは、前記スライドベース３の前記Ｘ軸光路ＬＸおよびＺ軸光路ＬＺに沿って前記第１の開口３１０から対物レンズ２の光軸を通って回転する光ディスクに照射される。
前記光ディスクで反射された反射光ビームは前記対物レンズ２を通過して前記第１の開口３１０からＺ軸光路ＬＺおよびＸ軸光路ＬＸに沿って前記第２の開口３０６から出射され、前記光ピックアップの光検出素子に照射される。前記光検出素子によって検出された検出信号に基づいて、演算回路を含む信号処理回路によってフォーカスエラー信号、トラッキングエラー信号が生成される。
前記光ディスクの回転に伴って、前記対物レンズ駆動手段が前記フォーカスエラー信号に基づいて動作することにより、前記対物レンズ２のフォーカシング方向のサーボ制御が行なわれ、対物レンズ２がフォーカシング方向に移動され、同時に、前記スライドベース駆動手段が前記トラッキングエラー信号に基づいて、前記スライドベース３のトラッキング方向のサーボ制御が行なわれ、スライドベース３がトラッキング方向に移動される。
【００２１】
前記アクチュエータ１００における対物レンズ２のＺ軸方向の位置調整は次のようになされる。
すなわち、前記フォーカシングコイル用の駆動信号がフレキシブル基板１５を介してフォーカシングコイル６に供給されると、該フォーカシングコイル６に磁界が発生し、この磁界と前記永久磁石１１および上ヨーク１２により形成される磁界との相互作用によってＺ軸方向の電磁力が生じる。この電磁力によって前記スライドベース３にサスペンション７を介して連結されたボビン１０がＺ軸方向に変位されることで前記対物レンズ２の光ディスクに対するＺ軸方向の位置が調整される。
また、前記アクチュエータ１００におけるＸ軸方向の位置調整は次のようになされる。
すなわち、前記トラッキング用の駆動信号がフレキシブル基板１５を介してトラッキングコイル５に供給されると、該トラッキングコイル５に磁界が発生し、この磁界と前記永久磁石１１および下ヨーク１３により形成される磁界との相互作用によってＸ軸方向の電磁力が生じる。この電磁力によって前記スライドベース３がＸ軸方向に変位されることにより、前記収差補正素子９の中心が前記対物レンズ２の光軸に合致した状態で前記対物レンズ２および収差補正素子９の光ディスクに対するＸ軸方向の位置が調整される。
また、前記対物レンズ２を通過する光ビームに対する収差補正は次のようになされる。
すなわち、前記収差補正用の第１の駆動信号Ｓ１および第２の駆動信号Ｓ２がフレキシブル基板１５を介して収差補正素子９に供給されると、前記収差補正素子９の液晶がこれら第１、第２の駆動信号Ｓ１、Ｓ２に応じた偏光状態となる。この偏光状態を調整することにより、前記液晶を透過する光ビームに対する収差補正が行なわれる。
【００２２】
以上説明したように本実施の形態のアクチュエータ１００によれば、トラッキング方向に移動可能に配設されたスライドベース３上で対物レンズ２をサスペンション７によってフォーカシング方向に移動可能に支持し、対物レンズ２を通る光ビームの収差を補正する収差補正素子９をスライドベース３の第１の開口３１０に臨ませて一体的に設けた構成とした。
したがって、対物レンズの光軸上に収差補正用のエキスパンダレンズを設け、該エキスパンダレンズを構成する２群のレンズの間隔を調整する従来技術に比較して、これら２群のレンズをフォーカス方向に移動させる駆動機構が不要となり構成が簡素化され部品点数が少なくて済む。
このため、アクチュエータおよび光ピックアップの小型化および低コスト化が可能となり、ひいては光ピックアップを有する光ディスク装置の小型化および低コスト化を図る上で有利となる。
また、アクチュエータの重量を軽量化できるので、光ディスクに対するアクセス速度を高める上で有利となる。
また、対物レンズはスライドベースにフォーカシング方向に移動可能に支持され、収差補正素子は第１の開口に臨ませてスライドベースに一体的に設けられているので、対物レンズと収差補正素子のトラッキング方向における位置ずれが抑制される。これにより、収差補正素子と対物レンズの光軸とのずれによる収差の発生が抑制されるため、光ディスクの情報読取精度を向上させる上で有利となる。
【００２３】
なお、本実施の形態では、スライドベース３上で対物レンズ２をフォーカシング方向に移動可能に支持するサスペンションとして、板ばね部材を用いたが本発明はこれに限定されるものではなく、例えばロッド状のサスペンション部材を用いてもよい。
また、本実施の形態では、対物レンズおよび収差補正素子を通過する光ビームの光路を互いに直交するＺ軸光路とＸ軸光路によって構成したが、対物レンズおよび収差補正素子を通過する光ビームの光路がＺ軸方向のみに延在するように構成されていてもよい。
【００２４】
【発明の効果】
以上説明したように、本発明によれば、光ピックアップにおいて所望の特性を確実に得るとともに、構成の簡素化を図る上で有利なアクチュエータを提供することができる。
【図面の簡単な説明】
【図１】本発明の第１の実施の形態のアクチュエータの構成を示す斜視図である。
【図２】図１の平面図である。
【図３】アクチュエータの要部を示す平面図である。
【図４】図３の正面図である。
【図５】図３の縦断面図である。
【図６】スライドベースをＸ軸方向の一方の上方から見た斜視図である。
【図７】スライドベースをＸ軸方向の他方の下方から見た斜視図である。
【図８】ボビンの斜視図である。
【図９】サスペンションにボビンが取り付けられた状態を示す斜視図である。
【図１０】図９の平面図である。
【図１１】図９の側面図である。
【図１２】図１１のＡＡ線断面図である。
【図１３】収差補正素子の構成を示す斜視図である。
【図１４】収差補正素子の分解斜視図である。
【符号の説明】
２……対物レンズ、３……スライドベース、７……サスペンション、９……収差補正素子、１０……ボビン。
【図１】
2004118931.tif 000003
【図２】
2004118931.tif 000004
【図３】
2004118931.tif 000005
【図４】
2004118931.tif 000006
【図５】
2004118931.tif 000007
【図６】
2004118931.tif 000008
【図７】
2004118931.tif 000009
【図８】
2004118931.tif 000010
【図９】
2004118931.tif 000011
【図１０】
2004118931.tif 000012
【図１１】
2004118931.tif 000013
【図１２】
2004118931.tif 000014
【図１３】
2004118931.tif 000015
【図１４】
2004118931.tif 000016